(57)【特許請求の範囲】
【請求項１】
主部と、当該主部と記録媒体検出手段とに接続された副部と、を具備し、
前記記録媒体検出手段は、加入者に関する情報とコンテンツの受信に関する契約情報が記録された記録媒体が装着され、当該記録媒体から前記情報の読み取りが可能なとき有効を示す論理レベルを示し、前記記録媒体が装着されないか当該記録媒体から前記情報の読み取りが可能でないとき不可を示す論理レベルの記録媒体検出信号を出力し、
前記主部は、通常状態または待機状態を指示する操作信号に応じて、当該主部に電力が供給されて通常状態で動作する通常状態となるか、または、省電力のため待機状態となり、前記通常状態または前記待機状態を示す論理レベルの状態信号を出力し、
前記副部は、
前記記録媒体が装着された前記記録媒体検出手段から前記加入者に関する情報および前記コンテンツの受信に関する契約情報を読み取り、当該読み取った情報をコンテンツ提供手段に送出する、第１の処理回路と、
前記コンテンツ提供手段から提供された信号を受信する受信装置に接続され、前記コンテンツ提供手段から提供されるコンテンツおよび契約情報を処理する、第２の処理回路と、
を有し、
当該受信装置は、前記コンテンツ提供手段から垂直偏波および水平偏波の電波として提供される前記コンテンツおよび契約情報を受信するアンテナと、前記アンテナで受信した垂直偏波および水平偏波を選択し、当該選択した受信信号を周波数変換して中間周波数の信号に変換する周波数変換回路とを有し、前記周波数変換回路は、前記選択すべき垂直偏波および水平偏波に応じた電源電圧を前記第２の処理回路から提供された垂直偏波または水平偏波を選択し、
前記第２の処理回路は、垂直偏波または水平偏波を選択することを指示する給電選択信号に応じた電圧を電線を介して前記周波数変換回路に供給し、
前記第２の処理回路は、動作停止状態において前記受信装置の前記周波数変換回路への給電を行わず、
前記第１の処理回路および前記第２の処理回路は、電力が供給されて通常状態で動作する通常状態となるか、または、電力が供給されない動作停止状態となり、
前記第１の処理回路および前記第２の処理回路は、前記状態信号が前記主部が通常状態であることを示し、かつ、前記記録媒体検出信号が有効を示す論理レベルを示したとき、共に通常状態となり、
前記第１の処理回路および前記第２の処理回路は、前記状態信号が前記主部が待機状態であることを示し、前記記録媒体検出信号が不可を示す論理レベルを示したとき、共に動作停止状態となり、
前記第１の処理回路および前記第２の処理回路が共に動作停止状態のとき、前記記録媒体検出信号が有効を示す論理レベルを示したとき前記第１の処理回路が通常状態となり、前記第２の処理回路は動作停止状態を維持し、
前記第２の処理回路は、前記状態信号が前記主部が通常状態であることを示し、前記記録媒体検出信号が有効を示す論理レベルを示したとき、動作状態となる、
コンテンツ処理装置。
【請求項２】
前記受信装置から前記第２の処理回路への前記受信装置が受信したコンテンツを含む情報は電線を介して伝送される、
請求項１に記載のコンテンツ処理装置。
【請求項３】
前記記録媒体はＩＣカードを含み、
前記記録媒体検出手段は、ＩＣカードとの間で情報の読み取り、書き込みを処理可能である、
請求項１または２に記載のコンテンツ処理装置。
【請求項４】
主部と、記録媒体検出手段と、前記主部と前記記録媒体検出手段とに接続された副部と、を具備し、
前記記録媒体検出手段は、加入者に関する情報とコンテンツの受信に関する契約情報が記録された記録媒体が装着され、当該記録媒体から前記情報の読み取りが可能なとき有効を示す論理レベルを示し、前記記録媒体が装着されないか当該記録媒体から前記情報の読み取りが可能でないとき不可を示す、論理レベルの記録媒体検出信号を出力し、
前記主部は、通常状態または待機状態を指示する操作信号に応じて、当該主部に電力が供給されて通常状態で動作する通常状態となるか、または、省電力のため待機状態となり、前記通常状態または前記待機状態を示す論理レベルの状態信号を出力し、
前記副部は、
前記記録媒体が装着された前記記録媒体検出手段から前記加入者に関する情報および前記コンテンツの受信に関する契約情報を読み取り、当該読み取った情報をコンテンツ提供手段に送出する、第１の処理回路と、
前記コンテンツ提供手段から提供された信号を受信する受信装置に接続され、前記コンテンツ提供手段から提供されるコンテンツおよび契約情報を処理する、第２の処理回路と、
を有し、
前記受信装置は、前記コンテンツ提供手段から垂直偏波および水平偏波の電波として提供される前記コンテンツおよび契約情報を受信するアンテナと、前記アンテナで受信した垂直偏波および水平偏波を選択し、当該選択した受信信号を周波数変換して中間周波数の信号に変換する周波数変換回路とを有し、前記周波数変換回路は、前記選択すべき垂直偏波および水平偏波に応じた電源電圧を前記第２の処理回路から提供された垂直偏波または水平偏波を選択し、
前記第２の処理回路は、垂直偏波または水平偏波を選択することを指示する給電選択信号に応じた電圧を電線を介して前記周波数変換回路に供給し、
前記第２の処理回路は、動作停止状態において前記受信装置の前記周波数変換回路への給電を行わず、
前記第１の処理回路および前記第２の処理回路は、電力が供給されて通常状態で動作する通常状態となるか、または、電力が供給されない動作停止状態となり、
前記第１の処理回路および前記第２の処理回路は、前記状態信号が前記主部が通常状態であることを示し、かつ、前記記録媒体検出信号が有効を示す論理レベルを示したとき、共に通常状態となり、
前記第１の処理回路および前記第２の処理回路は、前記状態信号が前記主部が待機状態であることを示し、前記記録媒体検出信号が不可を示す論理レベルを示したとき、共に動作停止状態となり、
前記第１の処理回路および前記第２の処理回路が共に動作停止状態のとき、前記記録媒体検出信号が有効を示す論理レベルを示したとき前記第１の処理回路が通常状態となり、前記第２の処理回路は動作停止状態を維持し、
前記第２の処理回路は、前記状態信号が前記主部が通常状態であることを示し、前記記録媒体検出信号が有効を示す論理レベルを示したとき、動作状態となる、
コンテンツ処理装置。
【請求項５】
前記受信装置から前記第２の処理回路への前記受信装置が受信したコンテンツを含む情報は電線を介して伝送される、
請求項４に記載のコンテンツ処理装置。
【請求項６】
前記記録媒体はＩＣカードを含み、
前記記録媒体検出手段は、ＩＣカードとの間で情報の読み取り、書き込みを処理可能である、
請求項４または５に記載のコンテンツ処理装置。
【請求項７】
コンテンツ処理装置と、当該コンテンツ処理装置に対応して設けられた記録媒体検出手段と、コンテンツ提供手段と、を具備し、
前記コンテンツ処理装置は、
主部と、
当該主部と前記記録媒体検出手段とに接続された、副部と
を有し、
前記記録媒体検出手段は、加入者に関する情報とコンテンツの受信に関する契約情報が記録された記録媒体が装着され当該記録媒体から前記情報の読み取りが可能なとき有効を示す論理レベルを示し、前記記録媒体が装着されないか当該記録媒体から前記情報の読み取りが可能でないとき不可を示す、論理レベルの記録媒体検出信号を出力し、
前記主部は、通常状態または待機状態を指示する操作信号に応じて、当該主部に電力が供給されて通常状態で動作する通常状態となるか、または、省電力のため待機状態となり、前記通常状態または前記待機状態を示す論理レベルの状態信号を出力し、
前記副部は、
前記記録媒体から前記加入者に関する情報および前記コンテンツの受信に関する契約情報を読み取り、当該読み取った情報を前記コンテンツ提供手段に送出する、第１の処理回路と、
前記コンテンツ提供手段から提供された信号を受信する受信装置に接続され、前記コンテンツ提供手段から提供されるコンテンツおよび契約情報を処理する、第２の処理回路と、
を有し、
前記受信装置は、前記コンテンツ提供手段から垂直偏波および水平偏波の電波として提供される前記コンテンツおよび契約情報を受信するアンテナと、前記アンテナで受信した垂直偏波および水平偏波を選択し、当該選択した受信信号を周波数変換して中間周波数の信号に変換する周波数変換回路とを有し、前記周波数変換回路は、前記選択すべき垂直偏波および水平偏波に応じた電源電圧を前記第２の処理回路から提供された垂直偏波または水平偏波を選択し、
前記第２の処理回路は、垂直偏波または水平偏波を選択することを指示する給電選択信号に応じた電圧を電線を介して前記周波数変換回路に供給し、
前記第２の処理回路は、動作停止状態において前記受信装置の前記周波数変換回路への給電を行わず、
前記第１の処理回路および前記第２の処理回路は、電力が供給されて通常状態で動作する通常状態となるかまたは電力が供給されない動作停止状態となり、
前記第１の処理回路および前記第２の処理回路は、前記状態信号が前記主部が通常状態であることを示し、かつ、前記記録媒体検出信号が有効の論理レベルを示したとき、共に通常状態となり、
前記第１の処理回路および前記第２の処理回路は、前記状態信号が前記主部が待機状態であることを示し、前記記録媒体検出信号が不可を示す論理レベルを示したとき、共に動作停止状態となり、
前記第１の処理回路および前記第２の処理回路が共に前記動作停止状態のとき、前記記録媒体検出信号が有効を示す論理レベルを示したとき、前記第１の処理回路が通常状態となり、前記第２の処理回路は動作停止状態を維持し、
前記第２の処理回路は、前記状態信号が前記主部が通常状態であることを示し、前記記録媒体検出信号が有効を示す論理レベルを示したとき、動作状態となる、
コンテンツ処理システム。
【請求項８】
コンテンツ処理装置と、コンテンツ提供手段と、を具備し、
前記コンテンツ処理装置は、主部と、記録媒体検出手段と、当該主部と前記記録媒体検出手段とに接続された副部と、を有し、
前記記録媒体検出手段は、加入者に関する情報とコンテンツの受信に関する契約情報が記録された記録媒体が装着され当該記録媒体から前記情報の読み取りが可能なとき有効を示す論理レベルを示し、前記記録媒体が装着されないか当該記録媒体から前記情報の読み取りが可能でないとき不可を示す、論理レベルの記録媒体検出信号を出力し、
前記主部は、通常状態または待機状態を指示する操作信号に応じて、当該主部に電力が供給されて通常状態で動作する通常状態となるか、または、省電力のため待機状態となり、前記通常状態または前記待機状態を示す論理レベルの主部状態信号を出力し、
前記副部は、
前記記録媒体から前記加入者に関する情報および前記コンテンツの受信に関する契約情報を読み取り、当該読み取った情報を前記コンテンツ提供手段に送出する、第１の処理回路と、
前記コンテンツ提供手段から提供された信号を受信する受信装置に接続され、前記コンテンツ提供手段から提供されるコンテンツおよび契約情報を処理する、第２の処理回路と、
を有し、
前記受信装置は、前記コンテンツ提供手段から垂直偏波および水平偏波の電波として提供される前記コンテンツおよび契約情報を受信するアンテナと、前記アンテナで受信した垂直偏波および水平偏波を選択し、当該選択した受信信号を周波数変換して中間周波数の信号に変換する周波数変換回路とを有し、前記周波数変換回路は、前記選択すべき垂直偏波および水平偏波に応じた電源電圧を前記第２の処理回路から提供されて垂直偏波または水平偏波を選択し、
前記第２の処理回路は、垂直偏波または水平偏波を選択することを指示する給電選択信号に応じた電圧を電線を介して前記周波数変換回路に供給し、
前記第２の処理回路は、動作停止状態において前記受信装置の前記周波数変換回路への給電を行わず、
前記第１の処理回路および前記第２の処理回路は、電力が供給されて通常状態で動作する通常状態となるかまたは電力が供給されない動作停止状態となり、
前記第１の処理回路および前記第２の処理回路は、前記状態信号が前記主部が通常状態であることを示し、かつ、前記記録媒体検出信号が有効の論理レベルを示したとき、共に通常状態となり、
前記第１の処理回路および前記第２の処理回路は、前記状態信号が前記主部が待機状態であることを示し、前記記録媒体検出信号が不可を示す論理レベルを示したとき、共に動作停止状態となり、
前記第１の処理回路および前記第２の処理回路が共に前記動作停止状態のとき、前記記録媒体検出信号が有効を示す論理レベルを示したとき、前記第１の処理回路が通常状態となり、前記第２の処理回路は動作停止状態を維持し、
前記第２の処理回路は、前記状態信号が前記主部が通常状態であることを示し、前記記録媒体検出信号が有効を示す論理レベルを示したとき、動作状態となる、
コンテンツ処理システム。
【請求項９】
コンテンツ受信装置がそれぞれ複数設けられ、
前記受信装置には、分配器を介してそれぞれ個別の電線を介して、複数のコンテンツ受信装置が接続され、
前記コンテンツ受信装置に対応して設けられた記録媒体検出手段の１つに記録媒体を装着して、当該記録媒体検出手段に対応するコンテンツ受信装置内の第２の処理回路から前記受信装置に給電を行う、
請求項８に記載のコンテンツ処理システム。
【請求項１０】
前記記録媒体は、ＩＣカードを含み、
前記記録媒体検出手段は、前記ＩＣカードとの間で情報の読み取り、書き込みを処理可能である、
請求項７〜９のいずれかに記載のコンテンツ処理システム。
【発明の詳細な説明】
【０００１】
【発明の属する技術分野】
本発明は、待機状態と通常状態を有するコンテンツ処理装置とそのコンテンツ処理装置を有するコンテンツ処理システムに係り、特に待機状態における消費電力を削減することができるコンテンツ処理装置とコンテンツ処理システムに関する。
【０００２】
【従来の技術】
図４は、コンテンツ処理装置およびコンテンツ処理システムの１例しての、従来の有料の衛星放送受信機と、関連する装置の構成と動作を表す図である。
１０は衛星放送受信機を、２０は放送局を、３０は衛星を、４はＩＣカードを、５はアンテナ装置を、５１は受信アンテナを、５２は低雑音周波数変換回路を、Ｓ６は給電線を、Ｓ７は番組購入信号を、Ｓ８は機器操作信号を、Ｓ１１，Ｓ１２は電波信号をそれぞれ示す。
【０００３】
機器操作信号Ｓ８は、例えば、衛星放送受信機１０の外部のリモートコントローラーから赤外線等によって衛星放送受信機１０に入力される信号であり、衛星放送受信機１０はこの信号によって操作される。衛星放送受信機１０を通常状態または待機状態に設定する信号もこの機器操作信号Ｓ８に含まれている。
【０００４】
給電線Ｓ６は、衛星放送受信機１０がアンテナ装置５に供給する動作用の電圧を送る電線である。この給電線Ｓ６は、前記電圧の給電の他に、アンテナ装置５が受信して生成した信号を衛星放送受信機１０に伝送する。
アンテナ装置５は、衛星３０から送られてくる電波信号Ｓ１２を受信して増幅し、中間周波数に変換して衛星放送受信機１０に伝送する。アンテナ装置５の動作用の電圧は、衛星放送受信機１０から給電線Ｓ６によって供給される。
【０００５】
このアンテナ装置５は、受信アンテナ５１と、低雑音周波数変換回路５２を有している。
受信アンテナ５１は、衛星３０から送られてくる電波信号Ｓ１２を受信して、低雑音周波数変換回路５２に集中させる。
低雑音周波数変換回路５２は、この集中された電波信号を低雑音の増幅器で増幅するとともに、中間周波数に変換して給電線Ｓ６を通じ衛星放送受信機１０に伝送する。低雑音周波数変換回路５２に供給する電源電圧は、給電線Ｓ６を通じ衛星放送受信機１０から供給される。
なお、衛星３０から送られてくる電波信号Ｓ１２は、同一周波数で互いに影響しない垂直偏波および水平偏波等の２つの偏波信号に多重化されており、低雑音周波数変換回路５２はこの２つの偏波信号を受信する２つの回路を有している。低雑音周波数変換回路５２は給電線Ｓ６を介して衛星放送受信機１０から供給される電圧に応じて上記２つ偏波信号を受信する回路のどちらか一方を有効にして中間周波数に周波数変換した信号を衛星放送受信機１０に出力するので、衛星放送受信機１０は周波数変換回路５２に供給する電圧を、例えば、１１Ｖと１５Ｖの２通りに切り換えることにより、どちらの偏波を受信するか選択することができる。
【０００６】
ＩＣカード４には有料衛星放送の加入者（視聴者）に関する情報や購入した番組の契約情報などが記録されており、視聴者は、衛星放送受信機１０にＩＣカード４を装着して記録された情報を読み取らせることで、番組の視聴が可能になる。また、新規に購入した番組の契約情報は、衛星放送受信機１０によってＩＣカード４に書き込まれる。
番組購入信号Ｓ７は、衛星放送受信機１０から放送局２０へ送信される信号である。すなわち、ＩＣカード４に記録された衛星放送加入者の情報および購入する番組の情報等は、衛星放送受信機１０から放送局２０へ電話回線等を介して送られる。
なお、このＩＣカード４は、情報の書き込みと読み出しを行うことのできる様々な記憶媒体に置き換えることができる。
【０００７】
放送局２０は、衛星放送受信機１０からの番組購入信号Ｓ７を受けて、放送中の番組情報や、視聴者が購入した番組を衛星放送受信機１０で受信して利用者が視聴するために必要な契約情報を、電波信号Ｓ１１に乗せて衛星３０に送出する。
衛星３０は、放送局２０からの電波信号Ｓ１１を受けて、電波信号Ｓ１２を地上のアンテナ装置５に送出する。
【０００８】
衛星放送受信機１０は、機器操作信号Ｓ８が入力されることにより、たとえば、待機状態と通常状態の切り換えといった、衛星放送受信機１０の外部からの操作を受ける。
衛星放送受信機１０は、装着されたＩＣカード４に対して情報の読み書きを行う。衛星放送受信機１０がＩＣカード４から読み込んだ情報および機器操作信号Ｓ８から入力された番組の購入に関する情報は、番組購入信号Ｓ７を通じて放送局２０に送信される。
衛星放送受信機１０は、アンテナ装置５に対しては、給電線Ｓ６を通じて偏波に応じた電圧を供給するとともに、アンテナ装置５が受信して周波数変換した番組情報や契約情報を含む信号を受け取る。
【０００９】
次に、以上の構成による衛星放送受信機１０の動作を説明する。
衛星放送受信機１０の、図示しない電源スイッチをオンにすると、給電線Ｓ６を介してアンテナ装置５に、偏波信号に応じた低雑音周波数変換回路５２のための電源電圧が供給される。偏波信号に応じた電源電圧を供給されて動作する低雑音周波数変換回路５２は、衛星３０からの電波信号Ｓ１２を中間周波数に変換させて、給電線Ｓ６を通じて衛星放送受信機１０に伝送する。
【００１０】
一方、ＩＣカード４が衛星放送受信機１０に装着されると、衛星放送受信機１０は、ＩＣカード４に記録された加入者の情報や購入した番組の契約情報などを読み込む。
視聴者が衛星放送受信機１０の受信した番組を図示しない画像表示装置およびスピーカで視聴するためには、ＩＣカード４が読み取り可能な状態で衛星放送受信機１０に装着されているとともに、視聴したい番組の契約情報が、ＩＣカード４に記録されていなければならない。
【００１１】
新規に番組の購入を指示する場合について説明する。
機器操作信号Ｓ８が衛星放送受信機１０に対して新規に番組の購入を指示する場合、ＩＣカード４から読み込んだ加入者の情報および購入する番組の情報は、番組購入信号Ｓ７として電話線を介して衛星放送受信機１０から放送局１０へ送出される。衛星放送受信機１０が番組購入信号Ｓ７を放送局２０に送出させるタイミングは、衛星３０からの電波信号Ｓ１２によって不定期に送られてくる特定の信号に同期させている。
放送局２０は、受け取った当該番組購入信号Ｓ７で指定された特定の加入者が当該信号で指定された特定の番組を視聴可能にするための契約情報を生成し、この契約情報を、放送中の番組情報とともに電波信号Ｓ１１に乗せて衛星３０に送出する。電波信号Ｓ１１を受け取った衛星３０は、電波信号Ｓ１２を地上に送出する。
【００１２】
電波信号Ｓ１２を受け取った受信アンテナ５１は、電波信号１２を低雑音周波数変換回路５２に集中させる。低雑音周波数変換回路５２は、この電波信号１２を電気信号に変換して低雑音の増幅器で増幅させるとともに、中間周波数に変換して給電線Ｓ６を通じて衛星放送受信機１０に伝送する。
衛星放送受信機１０は、給電線Ｓ６から受けた番組情報と契約情報を処理し、各ＩＣカード４に個別に与えられている加入者の情報と一致する契約情報を抽出して、これをＩＣカード４に記録させる。そして衛星放送受信機１０は、前記契約情報がＩＣカード４に記録されている場合にのみ、視聴者の購入した特定番組の視聴を可能にしている。
【００１３】
【発明が解決しようとする課題】
上で述べたように、図４に示す従来の衛星放送受信機１０においては、視聴者が購入した番組を視聴可能にするための契約情報を、放送局２０から電波信号Ｓ１２を通じて受け取っており、また、番組購入信号Ｓ７を衛星放送受信機１０から放送局２０に送るためのタイミングも、電波信号Ｓ１２を通じて不定期に送られてくる特定の信号に同期させている。
【００１４】
一方、たとえば、視聴者が機器操作信号Ｓ８によって衛星放送受信機１０に対し新規の番組の購入を指示する場合等を考慮すると、衛星３０から不定期に送られてくる番組購入信号Ｓ７のタイミングの信号や契約情報の信号を常に待ち受けている必要があり、このため、衛星放送受信機１０はアンテナ装置５へ常に電圧を供給しなくてはならない。
またこの場合、衛星放送受信機１０内にある、受信信号を処理するための図示しない回路や、ＩＣカードの情報の処理を行い番組購入信号Ｓ７を放送局２０へ送出するための図示しない回路も、動作させおかなくてはならない。
したがって、衛星放送受信機１０の動作状態を、通常の動作を行う状態から通常の動作を停止して消費電力を低減させる状態に切り換えた場合にも、これらの回路によって電力が消費されることになる。このため、待機状態で衛星放送受信機１０の消費する待機電力が、例えば、１０Ｗ程度と、他の家電製品に比べて大きくなってしまうという問題点がある。
【００１５】
また、アンテナ装置５で受信する偏波の種類を選択するために、衛星放送受信機１０はアンテナ装置５へ供給する電圧を切り換える必要がある。このため、１つのアンテナ装置５を複数の衛星放送受信機で共有する場合を考えたとき、複数の衛星放送受信機が互いに異なる偏波を選択することがあり得るので、給電線を単純に分配しただけではアンテナ装置５へ供給される電圧が定まらず、衛星放送受信機は衛星放送からの電波信号を正しく受信できないという問題点がある。
【００１６】
本発明は、かかる事情に鑑みてなされたものであり、その目的は、待機状態の消費電力を削減することができるコンテンツ処理装置とそのコンテンツ処理装置を有するコンテンツ処理システムを提供することに係り、特に、待機状態の消費電力を削減することができる、衛星放送受信装置機などのコンテンツ処理装置とそれを有するコンテンツ処理システムを提供することにある。
【００１７】
【課題を解決するための手段】
本発明によれば、主部と、当該主部と記録媒体検出手段とに接続された副部と、を具備し、
前記記録媒体検出手段は、加入者に関する情報とコンテンツの受信に関する契約情報が記録された記録媒体が装着され、当該記録媒体から前記情報の読み取りが可能なとき有効を示す論理レベルを示し、前記記録媒体が装着されないか当該記録媒体から前記情報の読み取りが可能でないとき不可を示す論理レベルの記録媒体検出信号を出力し、
前記主部は、通常状態または待機状態を指示する操作信号に応じて、当該主部に電力が供給されて通常状態で動作する通常状態となるか、または、省電力のため待機状態となり、前記通常状態または前記待機状態を示す論理レベルの状態信号を出力し、
前記副部は、前記記録媒体が装着された前記記録媒体検出手段から前記加入者に関する情報および前記コンテンツの受信に関する契約情報を読み取り、当該読み取った情報をコンテンツ提供手段に送出する、第１の処理回路と、前記コンテンツ提供手段から提供された信号を受信する受信装置に接続され、前記コンテンツ提供手段から提供されるコンテンツおよび契約情報を処理する、第２の処理回路と、を有し、
当該受信装置は、前記コンテンツ提供手段から垂直偏波および水平偏波の電波として提供される前記コンテンツおよび契約情報を受信するアンテナと、前記アンテナで受信した垂直偏波および水平偏波を選択し、当該選択した受信信号を周波数変換して中間周波数の信号に変換する周波数変換回路とを有し、前記周波数変換回路は、前記選択すべき垂直偏波および水平偏波に応じた電源電圧を前記第２の処理回路から提供された垂直偏波または水平偏波を選択し、
前記第２の処理回路は、垂直偏波または水平偏波を選択することを指示する給電選択信号に応じた電圧を電線を介して前記周波数変換回路に供給し、
前記第２の処理回路は、動作停止状態において前記受信装置の前記周波数変換回路への給電を行わず、
前記第１の処理回路および前記第２の処理回路は、電力が供給されて通常状態で動作する通常状態となるか、または、電力が供給されない動作停止状態となり、
前記第１の処理回路および前記第２の処理回路は、前記状態信号が前記主部が通常状態であることを示し、かつ、前記記録媒体検出信号が有効を示す論理レベルを示したとき、共に通常状態となり、
前記第１の処理回路および前記第２の処理回路は、前記状態信号が前記主部が待機状態であることを示し、前記記録媒体検出信号が不可を示す論理レベルを示したとき、共に動作停止状態となり、
前記第１の処理回路および前記第２の処理回路が共に動作停止状態のとき、前記記録媒体検出信号が有効を示す論理レベルを示したとき前記第１の処理回路が通常状態となり、前記第２の処理回路は動作停止状態を維持し、
前記第２の処理回路は、前記状態信号が前記主部が通常状態であることを示し、前記記録媒体検出信号が有効を示す論理レベルを示したとき、動作状態となる、コンテンツ処理装置が提供される。
【００１８】
また本発明の第２の観点によれば、主部と、記録媒体検出手段と、前記主部と、前記記録媒体検出手段とに接続された、副部と、を具備するコンテンツ処理装置であって、前記副部は上記第１および第２の処理回路を有し、上記記録媒体検出手段は上記同様の動作を行い、上記主部、上記第１および第２の処理回路は上記同様の動作態様をとる、コンテンツ処理装置が提供される。
【００１９】
第２観点の発明は、記録媒体検出手段が付加されたことを除いて、第１観点の発明と同様である。
【００２０】
好ましくは、前記受信装置から前記第２の処理回路への前記受信装置が受信したコンテンツを含む情報は電線を介して伝送される。
【００２１】
好ましくは、前記記録媒体はＩＣカードを含み、前記記録媒体検出手段は、ＩＣカードとの間で情報の読み取り、書き込みを処理可能な手段である。
【００２２】
本発明の第３の観点によれば、上記第１の観点のコンテンツ処理装置と、当該コンテンツ処理装置に対応して設けられた、記録媒体検出手段と、コンテンツ提供手段とを具備するコンテンツ処理システムが提供される。
【００２３】
本発明の第４の観点によれば、上記第２の観点のコンテンツ処理装置と、当該コンテンツ処理装置に対応して設けられた、記録媒体検出手段と、コンテンツ提供手段とを具備するコンテンツ処理システムが提供される。
【００２４】
上記コンテンツ処理装置は、第１および第２観点のコンテンツ処理装置と同様である。
【００２５】
また好ましくは、上記コンテンツ処理システムにおいて、前記第１の処理回路は、前記コンテンツ提供手段から提供された信号を受信する受信装置に接続される。
【００２６】
好ましくは、前記受信装置は、前記コンテンツ提供手段から垂直偏波および水平偏波の電波として提供される前記コンテンツおよび契約情報を受信するアンテナと、前記アンテナで受信した垂直偏波および水平偏波を選択し、当該選択した受信信号を周波数変換して中間周波数の信号に変換する周波数変換回路とを有する。
【００２７】
好ましくは、前記周波数変換回路は、前記選択すべき垂直偏波および水平偏波に応じた電源電圧を前記第２の処理回路から提供されて垂直偏波または水平偏波を選択し、前記第２の処理回路は、垂直偏波または水平偏波を選択することを指示する給電選択信号に応じた電圧を電線を介して前記周波数変換回路に供給し、前記第２の処理回路は、動作停止状態において前記受信装置の前記周波数変換回路への給電を行わない。
【００２８】
好ましくは、前記コンテンツ受信装置がそれぞれ複数設けられる。
【００２９】
前記受信装置には、分配器を介してそれぞれ個別の電線を介して、複数のコンテンツ受信装置が接続され、前記コンテンツ受信装置に対応して設けられた記録媒体検出手段の１つに記録媒体を装着して、当該記録媒体検出手段に対応するコンテンツ受信装置内の第２の処理回路から前記受信装置に給電を行う。
【００３０】
好ましくは、前記記録媒体は、ＩＣカードを含む。
【００３１】
前記記録媒体検出手段は、前記ＩＣカードとの間で情報の読み取り、書き込みを処理可能である。
【００３２】
【発明の実施の形態】
以下に、本発明のコンテンツ処理装置およびコンテンツ処理システムの実施の形態について、図面を参照して説明する。
図１は本発明のコンテンツ処理装置として、衛星放送受信装置１０Ａの第１の実施形態を表す図である。図４と図１の同一符号は同一の内容を表している。その他、１は衛星放送受信装置１０Ａの主部を、２は衛星放送受信装置１０Ａの副部を、２１は受信許諾情報処理回路を、２２は受信信号処理回路を、３はＩＣカード検出回路を、６は衛星放送受信装置１０Ａの入力部を、Ｓ１は機器制御信号を、Ｓ２は状態信号を、Ｓ３はＩＣカード検出信号を、Ｓ４は給電選択信号を、Ｓ５はＩＣカード記録信号をそれぞれ示している。
【００３３】
入力部６は、機器操作信号Ｓ８を受けてこれを処理し、通常状態または待機状態を選択する信号などを含む、衛星放送受信装置１０Ａを制御するための機器制御信号Ｓ１を生成して、主部１にへ出力する。
主部１は、入力部６から機器制御信号Ｓ１を受けて、これに応じた以下の処理を行う。
入力部６から通常状態を選択する機器制御信号Ｓ１を受けた場合は、主部１は、通常の動作を行い、通常状態にあることを示す状態信号Ｓ２を副部２へ出力する。入力部６から待機状態を選択する機器制御信号Ｓ１を受けた場合は、主部１は、通常の動作を停止し、主部１が待機状態にあることを示す状態信号Ｓ２を副部２へ出力する。
【００３４】
副部２は、主部１の状態信号Ｓ２およびＩＣカード検出回路３のＩＣカード検出信号Ｓ３を受けて、動作状態または動作停止状態のいずれかに設定される。
副部２が動作状態のときに、主部１が待機状態を示す状態信号Ｓ２およびＩＣカード４の読み取り不能を示すＩＣカード検出信号Ｓ３の両方を副部２が受け取った場合は、入力される順序に関係なく、副部２は動作状態から動作停止状態になる。
主部１が待機状態を示す状態信号Ｓ２およびＩＣカード４の読み取り不能を示すＩＣカード検出信号Ｓ３のいずれか一方の信号だけが、副部２に入力された場合には、副部２は動作状態を維持する。
副部２が動作停止状態のときに、主部１が通常状態を示す状態信号Ｓ２およびＩＣカード４の読み取り可能を示すＩＣカード検出信号Ｓ３の両方を副部２が受け取った場合は、入力される順序に関係なく、副部２は動作状態になる。
ＩＣカード４の読み取り可能を示すＩＣカード検出信号Ｓ３が副部２に入力された場合には、副部２に含まれる一部の回路が動作状態になる。
主部１が通常状態を示す状態信号Ｓ２が副部２に入力された場合には、副部２は動作停止状態を維持する。
【００３５】
この副部２は、受信許諾情報処理回路２１と、受信信号処理回路２２を含んでいる。
受信許諾情報処理回路２１は、ＩＣカード記録信号Ｓ５を通じてＩＣカード４に書き込まれている衛星放送の加入者に関する情報や購入した番組の契約情報などを読み込み、また、新規に購入した番組の契約情報などをＩＣカード４に書き込む。さらに、受信許諾情報処理回路２１は、購入する番組の契約情報を取得する際に、ＩＣカード４に記録された衛星放送の加入者の情報や購入する番組の情報などを、番組購入信号Ｓ７として電話回線を通じて図示しない放送局へ送出する。
受信信号処理回路２２は、アンテナ装置５から給電線Ｓ６を通じて入力される、放送局からの番組情報や契約情報の信号を処理する回路である。また、受信信号処理回路２２は、受信する偏波信号に応じた電圧を給電線Ｓ６を通じてアンテナ装置５に供給する。さらに、受信信号処理回路２２は、アンテナ装置５への偏波信号に応じた電圧の供給またはアンテナ装置５への電圧の非供給を選択する、給電選択信号Ｓ４を受け取る。受信信号処理回路２２は、アンテナ装置５への偏波信号に応じた電圧の非供給を選択する給電選択信号Ｓ４を受けたときは、アンテナ装置５に対する電圧の供給を常に停止する。
給電選択信号Ｓ４は、電圧の供給のないアンテナ装置を衛生放送受信機に接続させる際に使用する信号である。
【００３６】
この受信許諾情報処理回路２１と受信信号処理回路２２は、状態信号Ｓ２とＩＣカード検出信号Ｓ３を共に受けており、これらの信号Ｓ２、Ｓ３に応じて、動作状態または動作停止状態のいずれかの状態に設定される。
副部２が動作状態の時に、待機状態を示す状態信号Ｓ２およびＩＣカードの読み取り不能を示すを示すＩＣカード検出信号Ｓ３の両方を受け取った場合、受信許諾情報処理回路２１および受信信号処理回路２２はいずれも動作停止状態になる。
一方、副部２が動作停止状態の時に、ＩＣカードの読み取り可能を示すを示すＩＣカード検出信号Ｓ３を受け取った場合、受信許諾情報処理回路２１は動作状態になるが、受信信号処理回路２２は動作停止状態を維持する。
受信信号処理回路２２は、通常状態を示す状態信号Ｓ２およびＩＣカードの読み取り可能を示すＩＣカード検出信号Ｓ３の両方を受け取った場合に動作状態となる。
【００３７】
ＩＣカード検出回路３は、衛星放送受信機１０Ａに装着されたＩＣカード４の状態を監視しており、ＩＣカード４の読み取り操作が可能または不能を判断して、判断した結果の情報をＩＣカード検出信号Ｓ３として副部２に出力する。
【００３８】
以上の構成による衛星放送受信機１０Ａの動作を図２に示すタイムチャートを参照して説明する。
図２（Ａ）〜（Ｆ）は状態信号Ｓ２、ＩＣカード検出信号Ｓ３および給電選択信号Ｓ４に対する受信許諾情報処理回路２１および受信信号処理回路２２の動作を表す図である。
図２（Ａ）は、主部１の動作状態または動作停止状態を示す状態信号Ｓ２の変化を表している。図解の論理値（論理レベル）が「１」（ハイレベル）のとき主部１が通常状態、「０」（ローレベル）のとき主部１が待機状態にあることを示している。
図２（Ｂ）は、ＩＣカード検出信号Ｓ３の変化を表している。図解の論理値（論理レベル）が「１」のときＩＣカードが読み取り可能状態に、「０」のときＩＣカードが読み取り不能状態にあることを示している。
図２（Ｃ）は、給電選択信号Ｓ４の変化を表している。図解の論理値（論理レベル）が「１」のときアンテナ装置５への電圧を供給することを選択し、「０」のときアンテナ装置５への電圧を供給しないことを選択していることを示している。
図２（Ｄ）は、受信許諾情報処理回路２１の動作状態の変化を表している。図解の論理値（論理レベル）が「１」のとき、受信許諾情報処理回路２１が動作しており、「０」のとき動作を停止していることを示している。
図２（Ｅ）は、受信信号処理回路２２が給電線Ｓ６に出力する電圧の状態を表している。図解の論理値（論理レベル）が「１」のとき電圧を供給しており、「０」のとき電圧を供給していないことを示している。
図２（Ｆ）は、受信信号処理回路２２がアンテナ装置５から受ける受信信号の処理に関する動作状態の変化を表している。図解の論理値（論理レベル）が「１」のとき、受信信号処理回路２２は受信信号の処理に関する動作を行い、「０」のとき受信信号の処理に関する動作を停止していること（動作停止状態）を示している。
図２の下部に示した記号Ｔ１〜Ｔ１８は、上記（Ａ）〜（Ｆ）の論理値「１」または「０」で示した状態が持続している期間を示している。
【００３９】
期間Ｔ１において、主部１、および、副部２内の受信許諾情報処理回路２１と受信信号処理回路２２は共に動作しており、衛星放送受信機１０Ａは通常状態にある。ＩＣカード検出信号Ｓ３、給電選択信号Ｓ４はハイレベルである。
副部２の受信信号処理回路２２は、アンテナ装置５への電圧供給を選択するハイレベルの給電選択信号Ｓ４を受けているので、動作状態にある受信信号処理回路２２は、アンテナ装置５からの受信信号の処理を行うとともに、アンテナ装置５へ電圧を供給している。
【００４０】
期間Ｔ２において、入力部６に待機状態を指示する機器操作信号Ｓ８が入力され、これを受けた入力部６は主部１に待機状態を選択する機器制御信号Ｓ１を出力する。これを受けた主部１は待機状態になり、主部１が待機状態にあることをを示すローレベルの状態信号Ｓ２を出力する。前記状態信号Ｓ２を受けた副部２
の受信許諾情報処理回路２１および受信信号処理回路２２は、いずれもまだ動作状態にある。
【００４１】
期間Ｔ３において、ＩＣカード検出回路３は、例えば、ＩＣカード４が抜き去られたために、ＩＣカード検出回路３はＩＣカードが読み取り不能状態であることを示す、ローレベルのＩＣカード検出信号Ｓ３を出力する。前記ＩＣカード検出信号Ｓ３を受けた受信許諾情報処理回路２１および受信信号処理回路２２は、ともに動作停止状態になる。
【００４２】
期間Ｔ４において、例えばＩＣカード４が再び挿入されたことにより、ＩＣカード検出回路３はＩＣカードが読み取り可能状態であることを示す、ハイレベルのＩＣカード検出信号Ｓ３を、受信許諾情報処理回路２１および受信信号処理回路２２へ出力する。前記ハイレベルのＩＣカード検出信号Ｓ３を受けた受信許諾情報処理回路２１は動作状態になるが、受信信号処理回路２２まだ動作停止状態にある。
【００４３】
期間Ｔ５において、入力部６へ通常状態を指示する機器操作信号Ｓ８が入力され、これを受けた入力部６は主部１に通常状態を選択する機器制御信号Ｓ１を出力する。これを受けた主部１は通常状態になり、副部２へ通常状態であることを示すハイレベルの状態信号Ｓ２を出力する。前記状態信号Ｓ２を受けた受信信号処理回路２２は動作状態となり、衛星放送受信機は期間Ｔ１と同じ通常状態に戻る。
【００４４】
期間Ｔ６において、例えば、再びＩＣカード４が抜き去られたために、ＩＣカード検出回路３はＩＣカードが読み取り不能状態であることを示す、ローレベルのＩＣカード検出信号Ｓ３を出力する。前記ローレベルのＩＣカード検出信号Ｓ３を受けた受信許諾情報処理回路２１および受信信号処理回路２２は、いずれもまだ動作状態にある。
【００４５】
期間Ｔ７において、入力部６へ待機状態を指示する機器操作信号Ｓ８が入力され、これを受けた入力部６は主部１に待機状態を選択する機器制御信号Ｓ１を出力する。これを受けた主部１は待機状態になり、副部２の受信許諾情報処理回路２１および受信信号処理回路２２へ、主部１が待機状態にあることをを示すローレベルの状態信号Ｓ２を出力する。前記状態信号Ｓ２を受けた受信許諾情報処理回路２１および受信信号処理回路２２は、ともに動作停止状態にある。
【００４６】
期間Ｔ８において、入力部６へ通常状態を指示する機器操作信号Ｓ８が入力され、これを受けた入力部６は主部１に通常状態を選択するハイレベルの機器制御信号Ｓ１を出力する。これを受けた主部１は通常状態になり、副部２へ通常状態であることを示すハイレベルの状態信号Ｓ２を出力する。前記状態信号Ｓ２を受けた受信許諾情報処理回路２１および受信信号処理回路２２は、いずれも動作停止状態にある。
【００４７】
期間Ｔ９において、例えばＩＣカード４が再び挿入されたことにより、ＩＣカード検出回路３はＩＣカードが読み取り可能状態であることを示すハイレベルのＩＣカード検出信号Ｓ３を出力する。前記ＩＣカード検出信号Ｓ３を受けた受信許諾情報処理回路２１および受信信号処理回路２２は、いずれも動作を開始させ、衛星放送受信装置１０Ａは、期間Ｔ１，Ｔ５と同じ、通常状態に戻る。
【００４８】
期間Ｔ１０において、受信信号処理回路２２は、アンテナ装置５への電圧非供給を選択するローレベルの給電選択信号Ｓ４を受けるので、これにより、受信信号処理回路２２からアンテナ装置５への電圧供給は停止される。一方、受信信号処理回路２２が受信信号を処理する動作は、引き続き行われる。
期間Ｔ１０〜Ｔ１８における、主部１および副部２の動作は、受信信号処理回路２２によるアンテナ装置５への電圧供給が停止されること以外、期間Ｔ１〜Ｔ９とそれぞれ同じである。
【００４９】
以上説明したように、本発明の第１の実施形態によれば、衛星放送受信機１０Ａを待機状態に設定した場合で、かつ、ＩＣカード４を抜き去った場合に、受信許諾情報処理回路２１の動作が停止されるとともに受信信号処理回路２２によるアンテナ装置５への電圧供給や受信信号の処理が停止されるので、これらの装置に消費されていた電力が削減されるため、衛星放送受信機１０Ａの待機状態における消費電力を削減することができる。
【００５０】
次に、本発明のコンテンツ処理装置とコンテンツ処理システムの第２の実施形態について説明する。
図３は本発明のコンテンツ処理装置とコンテンツ処理システムの第２の実施形態を表す図である。
図１と図３の同一符号は同一の内容を表している。その他、１１〜１３は衛星放送受信機を、Ｓ６１からＳ６４はアンテナ装置５への給電線を、６０は給電線の分配器をそれぞれ示している。
各衛星放送受信機１１〜１３からアンテナ装置５へ電圧を供給する給電線Ｓ６１〜Ｓ６３は、一旦分配器６０へ接続され、１本にまとめられた給電線Ｓ６４が分配器６０からアンテナ装置５に接続される。
【００５１】
図３において、実線で描かれている給電線Ｓ６１はアンテナ装置５へ電圧を供給している給電線を表し、破線で描かれている給電線Ｓ６２，Ｓ６３はアンテナ装置５へ電圧を供給していない給電線を表している。
また、図３において、実線で描かれている衛星放送受信機１１，１３は通常状態にあることを表し、破線で描かれている衛星放送受信機１２は待機状態にあることを表している。
【００５２】
図３は、１つのアンテナ装置５を複数の衛星放送受信機１１，１２，１３で共有する場合の動作を表す図である。
これは、例えば１つのアンテナ装置５を設置した家庭の各部屋に複数の衛星放送受信機が置かれ、１つの加入契約による１枚のＩＣカードでこれらの衛星放送受信機を視聴する場合に当てはまる。
【００５３】
本発明の第２実施の形態の衛星放送受信機によれば、ＩＣカード４が抜き去られ、かつ待機状態におかれた衛星放送受信機は、アンテナ装置５への電圧の供給を停止する。図３の衛星放送受信機１２がこの場合に相当する。
また、アンテナ装置５への電圧の供給が停止している状態で、衛星放送受信機を待機状態から通常状態に戻した場合も、ＩＣカード４が読み取り不能状態にあれば、アンテナ装置５への電圧の供給は停止される。図３の衛星放送受信機１３がこの場合に相当する。
【００５４】
つまり、衛星放送受信機１０Ａを待機状態に設定し、かつＩＣカード４を抜き去る操作を行うことにより、衛星放送受信機はアンテナ装置５への電圧供給を停止するので、前記の操作によって視聴したい特定の衛星放送受信機に対しＩＣカード４を持ち運んで装着すれば、ＩＣカード４が装着されていない他の複数の衛星放送受信機がアンテナ装置５に対して同時に電圧を供給することがなくなる。
【００５５】
以上説明したように、本発明の第２の実施形態によれば、１つのアンテナ装置に複数の衛星放送受信機を分配器を介して接続した場合において、受信する偏波に応じた異なる電圧が各衛星放送受信機から同時に供給されることによって正常な受信が行われなくなるという上述した不具合を回避することができる。
また、アンテナ装置５にまったく改修を加える必要がなく、既存のアンテナ装置をそのまま使用できるため、安価な方法で、１つのアンテナ装置に複数の衛星放送受信機を接続して使用することができる。
また、分配器６０を加えるだけなので、簡単な方法で、１つのアンテナ装置に複数の衛星放送受信機を接続して使用することができる。
【００５６】
【発明の効果】
以上説明したように、本発明によれば、外部情報が非供給状態で、かつ、待機状態にある場合に、一部の回路による動作を停止させるので、待機状態の消費電力が削減することができるというコンテンツ処理装置を提供することができる。
【図面の簡単な説明】
【図１】本発明に係るコンテンツ処理装置およびコンテンツ処理システムの第１の実施例を示す回路図である。
【図２】本発明に係るコンテンツ処理装置の第１の実施例の動作のタイミングを示す図である。
【図３】本発明に係るコンテンツ処理装置の第２の実施例を示す回路図である。
【図４】従来の衛星放送受信機の動作を示す図である。
【符号の説明】
１…主部、２…副部、１０、１０Ａ…衛星放送受信装置、２１…受信許諾情報処理回路、２２…受信信号処理回路、３…ＩＣカード検出回路、４…ＩＣカード、５…アンテナ装置、５１…受信アンテナ、５２…低雑音周波数変換回路、６…衛星放送受信機のの入力部、６０…分配器、Ｓ１…機器制御信号、Ｓ２…状態信号、Ｓ３…ＩＣカード検出信号、Ｓ４…給電選択信号、Ｓ５…ＩＣカード記録信号、Ｓ６…給電線、Ｓ７…番組購入信号。
【図１】
0004622028.tif 000002
【図２】
0004622028.tif 000003
【図３】
0004622028.tif 000004
【図４】
0004622028.tif 000005